(57)【特許請求の範囲】
【請求項１】
運転免許証、各種クレジットカード等の番号や記号からなる識別情報を読み取り、当該識別情報を基に、新たに個人を識別、照合、認証すべく個人情報を出力する個人識別情報出力装置であって、
上記個人識別情報を読み取るカードデータ読取り手段と、
上記カードデータ読取り手段によって読み取られた個人情報を記憶するカードデータ記憶手段と、
上記カードデータ記憶手段に記憶されたカードデータを基に、新たな個人識別情報を生成する識別記号生成手段と、
上記識別記号生成手段によって生成された新たな識別記号を記憶する識別記号記憶手段と、
上記識別記号記憶手段に記憶された新たな識別記号を出力する識別情報出力手段および、
上記カード読取り手段によって読み取られたカードデータを消去するカードデータ消去手段、
によって構成されていることを特徴とするカード匿名ＩＤ出力装置。
【請求項２】
上記新たに生成した識別記号を基に、更に繰り返して、新たな識別記号を生成する識別情報再生成手段を含むことを特徴とする請求項１に記載のカード匿名ＩＤ出力装置。
【請求項３】
上記新たに生成された識別記号が、一方向性の文字列であることを特徴とする請求項１又は２に記載のカード匿名ＩＤ出力装置。
【請求項４】
駐車場の入口に設けられた入庫機と、各種施設のレジスタ又は会計部と、駐車場の出口に設けられた出庫機と、該出庫機によって開閉制御され出庫ゲートと、上記入庫機とレジスタ又は会計部及び出庫機とを統括管理する統括管理装置とを備えた各種施設の駐車場において、
上記入庫機、レジスタ又は会計部および出庫機は、夫々、カード情報を処理するカード処理装置を備えると共に、
これ等の各カード処理装置には、運転免許証、各種クレジットカード等の番号や記号からなる個人識別情報を読み取るカードデータ読取り手段と、上記カードデータ読取り手段によって読み取られた個人識別情報を記憶するカードデータ記憶手段と、上記カードデータ記憶手段に記憶されたカードデータを基に、新たな個人識別情報を生成する識別記号生成手段と、上記識別記号生成手段によって生成された新たな識別記号を記憶する識別記号記憶手段と、上記識別記号記憶手段に記憶された新たな識別記号を出力する識別情報出力手段および、上記カード読取り手段によって読み取られたカードデータを消去するカードデータ消去手段によって構成されたカード匿名ＩＤ出力装置を具備せしめたことを特徴とする各種施設用駐車場管理装置。
【請求項５】
上記カード処理装置が、上記新たに生成した識別記号を基に、更に繰り返して、新たな識別記号を生成する識別情報再生成手段を含むカード匿名ＩＤ出力装置を有することを特徴とする請求項４に記載の各種施設用駐車場管理装置。
【請求項６】
上記新たに生成された識別記号が、一方向性の文字列であるカード匿名ＩＤ出力装置を有することを特徴とする請求項４又は５に記載の各種施設用駐車場管理装置。
【発明の詳細な説明】
【０００１】
【発明の属する技術分野】
本発明は、カード匿名ＩＤ出力装置および当該カード匿名ＩＤ出力装置を用いた各種施設用駐車場管理装置に係り、特に、運転免許証とか、各種クレジットカード等の番号等の識別データを読み取り、これらの識別データを新たな識別記号に変換して、本来の識別記号を消去し、新たな識別記号を基に個人を識別、照合、認証等を行い、各種施設への入退場や施設の利用等の管理を行うカード匿名ＩＤ出力装置および当該出力装置を用いた各種施設用駐車場管理装置に関するものである。
【０００２】
【従来の技術】
例えば、特開平９−２７４６７３号公報「駐車場管理システム」には、駐車券を使用せずに、代りに免許証を利用して駐車場の入出庫を管理する管理システムに関する記載がある。このシステムにおいては、駐車場への入庫に際して、免許証データ（登録番号）を読み取り、これら免許証の登録番号をＩＤ記号として用い、ＩＤ番号毎に、駐車時間の算出や、駐車料金の演算、出庫許可等の駐車場管理が行われることが記載されている。
【０００３】
【発明が解決しようとする課題】
しかし、上記文献に記載されたものによれば、運転免許証とか、銀行カード、クレジットカード等を光学的に読み取り、読み取られた登録番号をＩＤとして利用するものであるから、これらの登録番号等が無防備にシステム内に記憶されることになり、ともすれば、それらのデータが第三者によって悪用されかねないといった不安があり、また可能性もある。
【０００４】
そのため、このような施設を管理する管理者は、これら大切なデータが悪用されないための防御策を講じたり、オペレーションを担う従業員に対する教育等を行ったりして、個人データの流出がされないように各種対策を講じなければならないため、何かと煩わしく、重荷であった。
【０００５】
運転免許証、キャッシュカードなどの登録番号を読み取り、直接その登録番号を記録し、照合、認証などに利用することは、新たな駐車券の発行などが必要なく、既存のリソースを利用することでオペレーション・コストを低減でき、非常に経済的、合理的であると言える。しかし、当該情報は、個人を特定できる重要な個人情報であり、個人情報保護の立場から安全上の管理・運用面で漏洩など多大のリスクを伴うものである。
【０００６】
また、例えば、レストランで食事をするだけなのに、駐車場を利用するために個人を特定することができるこれ等カード類の登録番号を機器に記録することは、心理的に抵抗がある。一方、駐車場管理側にも車両が入出庫する時に何時に入出庫したかを知るだけで充分なのに、個人を特定できる当該個人情報の提供を受けてこれを取り扱うことは、その漏洩などがないように機器の管理、駐車場管理者の教育等、管理上の負担を強いられることになって、甚だ面倒であった。
【０００７】
本発明は上述の問題点に鑑みなされたもので、その目的は、運転免許証とか、銀行カード、クレジットカードなどの個人識別カードを利用した場合においても、これらの登録番号が不正に盗まれて悪用されることがなく、管理者の管理・運営上の負担が少ないシステムを提供することである。
【０００８】
【課題を解決するための手段】
上記の目的を達成するために、本発明に係るカード匿名ＩＤ出力装置の主たる構成要件は、前記請求項１に記載の如く、運転免許証、各種クレジットカード等の番号や記号からなる識別情報を読み取り、当該識別情報を基に、新たに個人を識別、照合、認証すべく個人情報を出力する個人識別情報出力装置であって、上記個人識別情報を読み取るカードデータ読取り手段と、上記カードデータ読取り手段によって読み取られた個人識別情報を記憶するカードデータ記憶手段と、上記カードデータ記憶手段に記憶されたカードデータを基に、新たな個人識別情報を生成する識別記号生成手段と、上記識別記号生成手段によって生成された新たな識別記号を記憶する識別記号記憶手段と、上記識別記号記憶手段に記憶された新たな識別記号を出力する識別情報出力手段および、上記カード読取り手段によって読み取られたカードデータを消去するカードデータ消去手段によって構成されていることを特徴とする。
【０００９】
また、本発明に係る各種施設用駐車場管理装置の主たる構成要件は、前記請求項４に記載の如く、駐車場の入口に設けられた入庫機と、各種施設のレジスタ又は会計部と、駐車場の出口に設けられた出庫機と、該出庫機によって開閉制御され出庫ゲートと、上記入庫機とレジスタ及び出庫機とを統括管理する統括管理装置とを備えた施設の駐車場において、上記入庫機、レジスタ又は会計部および出庫機は、夫々、カード情報を処理するカード処理装置を備えると共に、これ等の各カード処理装置には、運転免許証、各種クレジットカード等の番号や記号からなる個人識別情報を読み取るカードデータ読取り手段と、上記カードデータ読取り手段によって読み取られた個人情報を記憶するカードデータ記憶手段と、上記カードデータ記憶手段に記憶されたカードデータを基に、新たな個人識別情報を生成する識別記号生成手段と、上記識別記号生成手段によって生成された新たな識別記号を記憶する識別記号記憶手段と、上記識別記号記憶手段に記憶された新たな識別記号を出力する識別情報出力手段および、上記カード読取り手段によって読み取られたカードデータを消去するカードデータ消去手段によって構成されたカード匿名ＩＤ出力装置を具備せしめることを特徴とする。
【００１０】
【発明の実施の形態】
以下に本発明の実施例によるカード匿名ＩＤ出力装置を図１〜図４を基に説明する。
【００１１】
図１は本発明の実施例によるカード匿名ＩＤ（電子指紋）出力装置の基本構成を示すブロック図である。本実施例のカード匿名ＩＤ出力装置１は、運転免許証、通常のクレジットカード、銀行カード等のカードＣＫ・ＣＴの内容を読み取るカード読取り手段Ａと、このカード読取り手段Ａによって読み取られたカード内容を記憶するカードデータ記憶手段Ｂと、カードデータ記憶手段Ｂに記憶されたカードデータを基に新たな識別記号又は識別記号を生成する識別記号生成手段であるカード匿名ＩＤ生成手段Ｃと、カード匿名ＩＤ生成手段Ｃによって生成された新たなカード匿名ＩＤ（電子指紋）データを記憶する識別記号記憶手段であるカード匿名ＩＤ記憶手段Ｄと、カード匿名ＩＤ生成手段Ｃによって生成されたカード匿名ＩＤデータを基に、更に繰り返して、新たな識別記号を再生成する識別情報再生手段であるカード匿名ＩＤ再生成手段Ｅと、カード匿名ＩＤ生成手段Ｃによって生成されたデータ、若しくは、カード匿名ＩＤ再生成出力手段Ｅによって再生成されたデータを外部のホストコンピュータ等に出力する識別情報出力手段であるカード匿名ＩＤ出力手段Ｆと、カード匿名ＩＤ生成手段Ｃによって匿名ＩＤ（電子指紋）が生成された後に、カードデータ記憶手段Ｂに記憶された通常のカードデータを消去するカードデータ消去手段Ｇによって構成されている。
【００１２】
図２はカード匿名ＩＤ出力装置１の機構ブロック図である。図２において、２はカード搬送通路であって、このカード搬送通路２には、カード検知部４と、カードＣＫ・ＣＴの挿入搬送と戻し搬送を案内するカード案内部２Ｋと、カード案内部２Ｋに存在するカードを送るカード送り機構（フィードローラ）３，３と、カードＣＫ，ＣＴの登録番号を読み取る登録番号読取り部５が設けられていて、これ等の各部材によって前述したカード読取り手段Ａが構成される。
【００１３】
また、図２において、６は各種の制御を行う制御部、７は後述する各種の演算を行う演算部、８はカード番号読取り部５によって読み取られたカード番号を記憶するＲＡＭであって、このＲＡＭ８は、登録番号読取り部５によって読み取られたカードデータを記憶する前記のカードデータ記憶手段Ｂと、カード匿名ＩＤ生成手段Ｃによって生成された匿名ＩＤデータを記憶する前記のカード匿名ＩＤ記憶手段Ｄに相当する。９は各種の演算基準データを格納したＲＯＭ、１０はホストコンピュータ等の外部装置に演算部７の演算結果を送出する通信制御部である。
【００１４】
図３はカード匿名ＩＤ（電子指紋）出力装置のブロック図であって、図２のものと同一または相当部分には同一符号が付されている。図３に示すように、カード検出部４と、登録番号読取り部５と、制御部６と、演算部７と、ＲＡＭ８と、ＲＯＭ９および通信制御部１０はそれぞれバス１１によって接続されている。
【００１５】
カード送り機構３，３によって送られたカードＣＫ，ＣＴはカード検出部４によって検出される。登録番号読取り部５はイメージスキャナを有し、イメージスキャナは入場者の運転免許証の画像データを読み取るための装置である。登録番号読取り部５は、カード検出部４によって検出されたカード検出信号に応答して、カードの登録番号を読取り、読み取ったカードの登録番号をＲＡＭ８に格納する。演算部７は、登録番号読取り部５によって読み取られたカードデータをＲＯＭ９の基準演算データを基に演算してカード匿名ＩＤ記号に変換してＲＡＭ８に格納する。従って、ＲＡＭ８は前述したカードデータ記憶手段Ｂとカード匿名ＩＤ記憶手段Ｄに相当する。ＲＯＭ９に格納されている基準演算データとしては、一方向性の関数、例えば、ハッシュ値が格納されている。制御部６は、演算部７とＲＡＭ８及びＲＯＭ９を制御する。通信制御部１０は、ＲＡＭ８に格納した新たなカード匿名ＩＤ記号を、文字列情報の一方向性関数・カード匿名ＩＤ（電子指紋）として外部に出力させる。また、制御部６は、ＲＡＭ８に格納されているカード匿名ＩＤ出力手段Ｆを制御すると共に、カードデータ消去手段Ｇに、登録番号読取り部５に格納された本来のカードデータを消去させる。
【００１６】
ハッシュ関数とは、一方向性と可変長の入力をハッシュ値という固定長の文字列で返す特徴を持ったコンピュータ処理である。ハッシュ値はメッセージダイジェストと呼ばれる。暗号の分野では大きなデータから小さな文字列（ダイジェスト）を得るのに用いられる。この処理は、公開鍵による計算よりも速いため、主に電子署名の処理を高速化するために用いられる。一般的なものとして、ＭＤ４，ＭＤ５，ＳＨＡがある。
【００１７】
ＭＤ５は、あらゆる入力に対して１２８ｂｉｔ（１６進数で３２行）の数値を出力する。例えば、「パスワード」という文字列は、ｍｄ５というハッシュ関数を用いると、新たな関数に変換される。この新たな関数を通じて導かれる結果は不可逆的で、この変換後の文字列から元の文字列「パスワード」を導くことは不可能である。
【００１８】
図４は、本発明の実施例によるカード匿名ＩＤ（電子指紋）出力装置の基本フロー図である。図４に示すように、ステップＳ１で、カード検出部４がカードを検出したか否かを制御部６が判断する。カードが検出されると、ステップＳ２に進み、制御部６はカード送り機構３にカード搬送を開始させる。次に、ステップＳ３で、カード登録番号読取り部５でカード番号の読み取りを行う。次のステップＳ４では、カード登録番号データをＲＡＭ８に格納する。ステップＳ５に進み、演算部７が文字列情報の一方向性の関数（例えば、ハッシュ値）のカード匿名ＩＤの演算を行い、カード匿名ＩＤ（電子指紋）を生成させ、このカード匿名ＩＤをＲＡＭ８に格納する。その後、ステップＳ６で、ＲＡＭ８に格納されたカード登録番号のデータの消去を行う。次に、ステップＳ７で、演算されたカード匿名ＩＤを通信制御部１０に出力させる。ステップＳ８で、カード送り機構３によりカード戻し搬送を行い、ステップＳ９で、カード検出部３がカードを検出したか否かを判断し、カードが検出されれば、ステップＳ１０に進み搬送停止を行い、検出されなければ、ステップＳ８に戻る。
【００１９】
本発明のカード匿名ＩＤ（電子指紋）出力装置は、運転免許証、キャッシュカードやクレジットカードなどのカード類の登録番号情報を光学的に、或はＩＣカードなど通信技術で読み取り、その読み取った登録番号情報そのものを出力するのでなく、その読み取った登録番号情報から電子指紋といわれる文字列情報である一方向性の関数（例えば、ハッシュ値）を演算し、元の読み取った登録番号情報そのものは消去してしまう。この結果である電子指紋情報を記録し、識別ＩＤとして照合、認証目的に使用するものである。
【００２０】
この演算結果である電子指紋情報からは元の登録番号を復元できない特徴を有し、個人情報にたどり着けない、匿名ＩＤ化した意味のない文字列としたものである。従って、仮りにこの電子指紋情報を利用、また第三者に提供、漏洩しても何ら駐車場等の利用者に被害が及ぶことはない。
【００２１】
また、本カード匿名ＩＤ（電子指紋）出力装置によれば、電子指紋である一方向性の関数（例えば、ハッシュ値）の演算は、その演算繰り返し回数を任意に設定できるものであって、例え同一の運転免許証、キャッシュカードやクレジットなどカード類の登録番号情報でも、演算繰り返し回数をかえれば電子指紋情報は異なった文字列データ結果となる。
【００２２】
その結果、入庫・出庫のシステム単位にこの設定回数を変え、非公開とすることで、電子指紋情報を他の同様なシステムに持っていってもその電子指紋情報は何の意味もない文字列でしかないことになるため、運転免許証の番号を逆探知することは、いかなる手段を講じても不可能に近いことになる。
【００２３】
以上により、運転免許証、キャッシュカードやクレジットなどカード類の登録番号情報を匿名ＩＤ（電子指紋情報）に変換して扱うことによって、個人情報の適性管理（義務）業務負担の少ないシステムを構築できる。これにより個人情報に係る煩わしい管理・運用業務から解放するものである。
【００２４】
図５は本発明によるカード匿名ＩＤ出力装置を用いた各種施設用駐車場管理装置の実施例を示すブロック図である。図５の各種施設用駐車場管理装置はロードサイドレストランの場合を示す。
【００２５】
図５において、２０は駐車場入口に設置した入庫機であって、この入庫機２０は、本発明のカード匿名ＩＤ出力装置を内蔵している。２１は入庫機２０によって開閉制御される入庫ゲート、２２は、駐車場の出口の出庫機であって、この出庫機２２も、本発明のカード匿名ＩＤ出力装置を内蔵している。２３は出庫機２２によって開閉制御される出庫ゲート、３０は駐車場管理室３０Ｘ等に配置された駐車場管理用コンピュータとしてのホストコンピュータである。３１は施設内のレストランの精算所に設けられたレジスタであって、精算所には本発明によるカード匿名ＩＤ出力装置１が配設されている。入庫機２０は通信線Ｆ１によってホストコンピュータ３０に接続され、レストランのカード匿名ＩＤ出力装置１とホストコンピュータ３０は通信線Ｆ２によって接続されていると共に、出庫機２３とホストコンピュータ３０は通信線Ｆ３によって接続されている。
【００２６】
カード匿名ＩＤ出力装置１は、図１に示すように、カード読み取り手段と、カード記憶手段と、カード匿名ＩＤ生成手段と、カード匿名ＩＤ記憶手段と、カードＩＤ再生成手段と、カード匿名ＩＤ出力手段およびカードデータ消去手段によって構成される。
【００２７】
更に、入庫機２０と出庫機２２には、それぞれ、車両検知センサー、イメージスキャナ、モータ制御回路、モータ、通信インターフェース、外部記憶装置、外部記憶インターフェース、メモリー、制御部などが設けられている。車両検知センサーは、車が入庫ゲート２１及び出庫ゲート２３の前に到達したことを感知するためのセンサーである。イメージスキャナは入場者及び出場者の運転免許証の画像データを読み取るための装置である。
【００２８】
３０Ｘは駐車場管理室であって、この駐車場管理室３０Ｘには、入庫機２０とレジスタ３１及び出庫機２２との間を統括する統括情報処理装置としての、駐車場管理コンピュータであるホストコンピュータ３０が配設されている。ホストコンピュータ３０は、キーボード、キーボードインターフェース、表示装置、表示装置コントローラ、通信インターフェース、外部記憶装置、外部記憶インターフェース、メモリー、及び制御部などを備えている。キーボードは、オペレータが文字等を入力する入力装置である。キーボードインターフェースは、キーボードから入力された文字等のデータをバスに伝達する装置である。
【００２９】
図５に示す実施例の施設駐車場管理装置において、顧客の車両が駐車場の入庫ゲート２１の前に到達すると、入庫機２０に備えられた車両検知センサーが車を感知してその旨を制御部へ通知する。制御部は、まず、入場客の運転免許証がイメージスキャナへ挿入されるのを待つ。運転免許証が挿入されたら、その画像データをイメージスキャナによって読み取る。
【００３０】
次に、入庫機２０の制御部は、運転免許証の画像データに対してＯＣＲ処理を行い、運転免許証データを得ると共に、運転免許証データを通信インターフェースを介して、カード匿名ＩＤ出力装置１に送信する。カード匿名ＩＤ出力装置１は、運転免許証データをカード匿名ＩＤ記号に変換し、通信制御部１０により、通信線Ｆ１を介して、ホストコンピュータ３０へ送信する。
【００３１】
ホストコンピュータ３０の制御部は、入庫機２０から匿名データが送信されると、その旨を検出し、通信インターフェースを介して入庫機２０から匿名データを受信する。そして、ホストコンピュータの制御部は、入出庫データベースに匿名ＩＤデータ受信日時を記録する。ホストコンピュータ３０の制御部は、以上の処理が終了したら、匿名データを受信した旨を該装置１へ送信する。
【００３２】
待機していた入庫機２０の制御部は、ホストコンピュータ３０から匿名データを受信した旨の通知を受けると、モータ制御回路に指示しモータを動作させて入庫ゲート２１を開き、車両検知センサーから車が入庫ゲート２１を通過した旨の通知がくるのを待つ。車が入庫ゲート２１を通過すると、入庫機２０の制御部は、再度モータ制御回路に指示し、モータを動作させて入庫ゲート２１を閉じる。
【００３３】
料金精算に当っては、レストランの客が食事などを済ませ、そのレシートを精算カウンターに持って行き、店員がレジスタ３１の入力装置から精算処理を開始すべき旨の入力をすると、レジスタ３１の制御部は処理を開始する。また制御部は、バーコードなどのデータをバーコード等から受け取る。全商品のバーコードの入力が終了すると、レジスタ３１の制御部は、商品の合計金額を表示装置に表示するように、表示装置コントローラに指示する。
【００３４】
店員は、合計金額を受け取ると、精算済みであることをカード匿名ＩＤ出力装置１に入力すると共に、カード匿名ＩＤ出力装置１は、運転免許証のデータを匿名データに変換し、この変換したカード匿名ＩＤ情報と出庫許可情報を、通信線Ｆ２を通してホストコンピュータ３０に送信する。ホストコンピュータ３０は、レジスタ３１からのカード匿名ＩＤ情報を入庫機２０からの匿名データと照合、確認して、カード匿名ＩＤ情報と出庫許可情報を通信線Ｆ３を通して出庫機２２に送信する。
【００３５】
次に、顧客の車が駐車場の出庫ゲート２３の前に到達すると、出庫機２２に備えられた車両検知センサーが車両を感知してその旨を制御部に通知し、これを受けて制御部は処理を開始する。運転免許証が挿入されると、その画像データをイメージスキャナによって読み取る。出庫機２２は、運転免許証データを匿名ＩＤ記号に変換し、この匿名ＩＤ記号をホストコンピュータ３０からの匿名ＩＤ情報及び出庫許可情報と照合確認して、適合しておれば、モータ制御回路に指示して出庫ゲート２３を開き、車両が出庫ゲート２３を通過すれば、出庫機２２の制御部は再度モータ制御回路に指示し、モータを動作させて出庫ゲート２３を閉じ、処理を終了する。
【００３６】
図５に示す施設駐車場管理挿入は、駐車場の利用者なら必ず持っていなければならない自動車運転免許証ＣＫの番号をＩＤとして使うが、当該データを決して個人情報として利用、また第三者に提供できないシステムであって、個人情報の適正管理（義務）業務負担の少ないシステムである。
【００３７】
また、駐車券を使用しないため、発券のための機構が不要であり、出庫許可はレストランのレジ３１で精算を含めて済ませるため、コイン、紙幣を扱う機構も不要である。これにより、主装置は、カード匿名ＩＤ（電子指紋）出力装置のシンプルなシステムとなり低価格となる。また、駐車券を使用しないため、廃棄物の発生もなく、ローコスト・オペレーションを実現するものである。
【００３８】
従って、本発明によれば、駐車場への入庫時にカード匿名ＩＤ（電子指紋）出力装置１で運転免許証ＣＫの番号を読み取り、ゲート２１が開き、入庫してもらうが（この時、電子指紋情報と入庫時刻が記憶装置に格納される）、カード匿名ＩＤ出力装置で識別不能な場合には、カード類の登録番号を入力できるテンキーを使用する。しかし、格納するデータは演算された結果の電子指紋情報であるため、個人情報は適性に管理される。オプションとしてシート型の駐車券（入庫時刻と電子指紋情報を印刷）の発行とそのジャーナル印刷を行う。
【００３９】
尚、レジ３１での出庫許可については、食事した者にレジ３１での精算時に運転免許証を提示してもらい、運転免許証番号をカード匿名ＩＤ（電子指紋）出力装置１で読み取り、記憶装置に格納された当該電子指紋情報と入庫時刻から無料出庫許可または有料精算により出庫許可を与える。駐車場からの出庫については、出庫時にゲート２３の手前で運転免許証番号をカード匿名ＩＤ（電子指紋）出力装置１で読み取り、当該出庫許可情報と照合し、ゲートを開き、出庫してもらう。
【００４０】
図６は、本発明の各種施設用駐車場管理装置を病院３２の駐車場に適用した例を示す構成図である。図６の施設駐車場管理装置は、個人識別カードとして、運転免許証ＣＫ又は診察券ＣＴを用いるもので、その他の部分は図５の管理装置と同一であり、かつ同様な作用効果を奏する。
【００４１】
図６の駐車場管理装置においても、駐車場を提供する病院や商店や団体等で独自に発行する手持ちのカード、例えば、病院では、紙製、樹脂製カード、磁気カード、ＩＣカード等の診察券ＣＴをそのまま利用して、しかも個人情報を特定できる例えば診察券番号などをそのまま記憶装置に記憶させずに駐車場の運営・管理を行い、当該データを決して個人情報として利用、また第三者に提供できないシステムであって、個人情報の適正管理（義務）業務負担の少ないシステムである。また、駐車券等の補給作業及びランニングコストの低減を図り、低価格のシンプルな機器システムを提供できる。
【００４２】
即ち、図６に示した装置によれば、駐車場への入庫時にカード匿名ＩＤ（電子指紋）出力装置１で診察券ＣＴを、または診察券ＣＴをもっていない者は運転免許証ＣＫの番号を読み取り、ゲート２１が開き、入庫してもらう（この時、電子指紋情報と入庫時刻が記憶装置に格納される）。カード匿名ＩＤ出力装置で識別不能な場合には、カード類の登録番号を入力できるテンキーを設けるが、データの格納は演算された結果の電子指紋情報であるため、個人情報は適性に管理される。オプションとしてシート型の駐車券（入庫時刻と電子指紋情報を印刷）の発行とそのジャーナル印刷を行う。
【００４３】
病院３２の会計部３３での出庫許可については、診察、お見舞いなどの帰りに会計部３３で診察券ＣＴまたは運転免許証ＣＫを提示してもらい、それをカード匿名ＩＤ（電子指紋）出力装置１で読み取り、記憶装置に格納された当該電子指紋情報と入庫時刻から無料出庫許可または有料精算により出庫許可を与える。
【００４４】
駐車場からの出庫については、出庫時にゲート２３の手前で診察券番号又は運転免許証番号をカード匿名ＩＤ（電子指紋）出力装置１で読み取り、当該出庫許可情報と照合し、ゲート２３を開き、出庫してもらう。また、例えば、運転免許証、社員証、診察券等の特定の電子指紋を出口装置に記憶させておくことで定期券と同様な扱いもできる。
【００４５】
【発明の効果】
以上に説明したように、例えば、運転免許証の登録番号とか、クレジットカードの番号を読んでそのデータを駐車場利用における管理番号として利用する場合は、それらのデータが流出し、第三者によって悪用される可能性があって、そのために、データが盗まれないような特別な仕組を構成しなければ成らなかったが、本発明によれば、読み取った運転免許証等のデータは、直ちに元の番号とは異なった新たな識別番号に置き換えて記憶され、元のデータは消去されるから、大切な登録番号等が第三者利用されることがない。また、ハッシュ値等の一方向性の関数を用いて識別番号を生成するから、元のデータが何であるか判らないため、悪用されることがない。更に、生成された識別番号を基に更に繰り返して新たな識別番号を生成するから、元の運転免許証番号等を解読することは如何なる手段を講じても不可能に近い、と言った優れた利点を発揮することができる。
【図面の簡単な説明】
【図１】本発明の実施例によるカード匿名ＩＤ出力装置のブロック図。
【図２】本発明の実施例によるカード匿名ＩＤ出力装置の機構ブロック図。
【図３】本発明の実施例によるカード匿名ＩＤ出力装置のブロック図。
【図４】本発明の実施例によるカード匿名ＩＤ出力装置の基本フロー図。
【図５】本発明の実施例による各種施設用駐車場管理装置の構成図。
【図６】本発明の他の実施例による各種施設用駐車場管理装置の構成図。
【符号の説明】
１              カード匿名ＩＤ出力装置
２              カード読取り機構
３              カード送り機構
４              カード検出部
５              登録番号読取り部
６              制御部
７              演算部
８              ＲＡＭ
９              ＲＯＭ
１０            通信制御部
２０            入庫機
２１            入庫ゲート
２２            出庫機
２３            出庫ゲート
３０            駐車場管理用コンピュータ
３１            レジスタ
３２            病院
３３            会計部
【図１】
0003889256.tif 000002
【図２】
0003889256.tif 000003
【図３】
0003889256.tif 000004
【図４】
0003889256.tif 000005
【図５】
0003889256.tif 000006
【図６】
0003889256.tif 000007